(57)【要約】      （修正有）【課題】遠心式気流分級機に使用される分級ロータのブレード及びスリットを容易に取り外し、交換できる構成とすること。【解決手段】遠心式気流分級機に用いる分級ロータであって、該分級ロータは複数の平板状のブレード１を有し、該ブレードの両端は放射状のスリットを有する２枚のスリット板に挟み込まれ、該スリット板は分級ロータ本体の上板４および下板５に交換が容易に設置され、分級ロータの上板および下板は分級ロータの内部に設けられた支柱により支えられていることを特徴とする分級ロータ。【選択図】図１
0003103835.tif 000002
【実用新案登録請求の範囲】
【請求項１】
複数の平板状のブレードを有し、該ブレードの両端は放射状のスリットを有する２枚のスリット板に挟み込まれ、該スリット板は分級ロータ本体の上板および下板に交換が容易に設置され、分級ロータの上板および下板は分級ロータの内部に設けられた支柱により支えられていることを特徴とする分級ロータ。
【請求項２】
スリット板が、樹脂材料で形成されていることを特徴とする請求項１に記載の分級ロータ。
【請求項３】
ブレードが、超硬合金またはセラミックス材料で形成されていることを特徴とする請求項１または２に記載の分級ロータ。
【請求項４】
スリット板を取り替えることによりブレードの枚数を変更できる機構を有し、該機構により分級ロータの分級条件を容易に変更できることを特徴とする請求項１〜３の何れか１項に記載の分級ロータ。
【請求項５】
スリット板が、ウレタン樹脂で形成されていることを特徴とする請求項１〜４のいずれか１項に記載の分級ロータ。
【請求項６】
請求項１〜５のいずれか１項に記載の分級ロータを用いた遠心式気流分級機。
【考案の詳細な説明】
【技術分野】
【０００１】
本考案は、粉体を分級するための遠心式気流分級機に組み込まれる分級ロータに関する。
【背景技術】
【０００２】
遠心式気流分級機は、内蔵された分級ロータを高速回転させ、高速回転する分級ロータの側部から上板中央の開口部に粉体を含む気流を流し、気流中に含まれる粗粉は、ブレードの回転により生じた遠心力により分級ロータ外部にはじき飛ばし、細粉は遠心力に勝る気流により分級ロータ上板中央の開口部から取り出し、気流中に含まれる粉体を粗粉と細粉とに分級する機構を有する（図３）。
遠心式気流分級機の分級ロータは、通常、ステンレス鋼等の鋼材で作られ、ブレードはセラミック材料等で構成され、ロータの上板及び下板に溶接等により接合され、一体物として使用される。また、ブレードをスリットに取り外し可能に取り付け、このスリットをロータの上板及び下板に固定した分級ロータが知られている（例えば、特許文献１参照。）。しかし、より簡易に、ローターの調整・交換が可能になることが望まれていた。
【特許文献１】特開２００２−１２６６５０号公報
【考案の開示】
【考案が解決しようとする課題】
【０００３】
遠心式気流分級機の、粗粉と細粉との分級点を変化させるためには、分級ロータの回転数や気流の流速を変化させるのが一般的であるが、その制御範囲には限界があった。また分級点を変更するのにブレードの枚数を変更する方法もあるが、分級ロータは一体物であると、ブレードの枚数を変えた多数の分級ロータを用意する必要がある。さらに、特許文献１のようにブレードを取り外し可能な分級ロータも用いられているが、ブレードを挿入したスリットはビス等で固定されているため、スリットの取り外しが面倒であった。
本考案はブレードをスリットごと容易に取り外し、交換が可能にすることを目的とする。
【課題を解決するための手段】
【０００４】
本考案者は上記課題を解決すべく鋭意努力検討した結果、ブレードを挟み込んだスリットを上板と下板間に置き、上板を支柱に固定する際、スリットを締め付け保持することにより、容易に取り外し可能に取り付けできることを見出し、本考案に到達した。即ち本考案は以下の各項からなる。
（１）  複数の平板状のブレードを有し、該ブレードの両端は放射状のスリットを有する２枚のスリット板に挟み込まれ、該スリット板は分級ロータ本体の上板および下板に交換が容易に設置され、分級ロータの上板および下板は分級ロータの内部に設けられた支柱により支えられていることを特徴とする分級ロータ。
（２）  スリット板が、樹脂材料で形成されていることを特徴とする上記（１）に記載の分級ロータ。
（３）  ブレードが、超硬合金またはセラミックス材料で形成されていることを特徴とする上記（１）または（２）に記載の分級ロータ。
（４）  スリット板を取り替えることによりブレードの枚数を変更できる機構を有し、該機構により分級ロータの分級条件を容易に変更できることを特徴とする上記（１）〜（３）の何れか１項に記載の分級ロータ。
（５）  スリット板が、ウレタン樹脂で形成されていることを特徴とする上記（１）〜（４）のいずれか１項に記載の分級ロータ。
（６）  上記（１）〜（５）のいずれか１項に記載の分級ロータを用いた遠心式気流分級機。
【考案の効果】
【０００５】
本考案の分級ロータによれば、スリットが溶接等によって固定されていないために、スリットの取り外しが非常に容易である。したがって、スリット形状、ブレードの枚数、ブレードの断面形状、ブレードの取付け方法を容易に変更できるため、気流に含まれる粉体の粒径や量、気流の流量等が変化しても、分級点を自由に制御することが可能となる。また、ブレードの枚数の異なる複数の分級ロータを用意する必要がなくなり、遠心式気流分級機のコストパフォーマンスを高めることが可能となる。
【考案を実施するための最良の形態】
【０００６】
本考案の、遠心式気流分級機に使用される分級ロータは、複数の平板状のブレードを有し、該ブレードの両端は放射状のスリットを有する２枚のスリット板に挟み込まれ、該スリット板は分級ロータ本体の上板および下板に固定されずに取り外し、交換が容易に設置されている。分級ロータの上板および下板は分級ロータの内部に設けられた支柱により支えられた構造を有する。
【０００７】
本考案の分級ロータを、図を用いて説明する。図１は組み立てられた状態の分級ロータの斜視図であり、図２は分級ロータの各構成部材を示す斜視図である。本考案で用いられる複数の平板状のブレード１は、その上部を上部スリット板２により、下部を下部スリット板３により挟み込まれ、上部スリット板２は上板４に密着しているがネジ止め等はされていない状態であり、下部スリット板３は下板５に密着しているがネジ止め等はされていない。スリット板は、鉄、ステンレス、アルミニウム合金、Ｃｒ合金、Ｎｉ合金等で形成することが可能であるが、より加工性の高い樹脂材料で形成するのが好ましい。場合によってはスリット板のブレード隙間部における摩耗が著しくなってしまう物質もあり、この場合はスリットに耐摩耗性を考慮した材質を採用することにより上部・下部スリット自身の延命はもちろん、上板４及び上板５を保護することができる。例えば、耐摩耗性にすぐれるウレタン樹脂で形成することが好ましい。なお、上板及び下板には図示していないが、その外周部に顎部を設け、顎部で囲まれた中にスリット板を設置しても良い。またブレードは、耐摩耗性の高い材料で形成するのが好ましく、例えば、鋼材、ステンレス材料等を用いることができるが、より好ましくは、超硬合金、セラミックス材料を用いる。
【０００８】
本考案の分級ロータでのブレードの枚数は、本考案の機構により自由に変更が可能となり、その枚数は２枚から１４０枚程度であっても変更が可能となる。
本考案の分級ロータは、分級ロータの上板４および下板５は分級ロータの内部に設けられた支柱６により支えられた構造を有する。支柱６は回転軸受け７に固定あるいは取り外し可能に取り付けられ、下板５は支柱６に固定あるいは取り外し可能に取り付けられる。上板は支柱６にネジ止め等で取り外し可能固定される。回転軸は軸受け７の穴７１に挿入固定される。
本考案の構造の分級ロータは、複数のブレードが、スリット板により挟み込まれているだけであり、かつスリット板は上板、下板の間に挿入するだけなので、ブレードをスリットごと容易に交換することができる。支柱６は分級ロータの内部ではなく、外部に取り付けることも可能ではあるが、支柱を外部に取り付けると、支柱が粉体により摩耗したり、また支柱自体が粉体を分級ロータ外部にはじき飛ばして、分級性能に影響を及ぼすので、ロータの内部に取り付けるのが好ましい。
【実施例】
【０００９】
（使用例１）
分級ロータ本体の上板および下板として直径３１５ｍｍ、厚さ１５ｍｍのステンレス板を用いた。スリット板には厚さ５ｍｍのウレタンゴムシートを用いて、該スリット板には４６カ所の放射状のスリットを設けた。両スリット板の間に長さ１６０ｍｍ、幅３４ｍｍ、厚さ４ｍｍのアルミナセラミックス製ブレード４６枚を挟み込んだ状態で、上板と下板をステンレス製の支柱で固定した。この際スリットを両板で締め付け、両板に密着固定した。
本考案の分級ロータを１２５０回転／分で回転させ、１μｍ〜２０μｍのアルミナ粉体を含む気体を４０ｍ３／分で流したところ、分級ポイントは４μｍであり、粉体の処理量は８００ｋｇ／時間であった。
【００１０】
（使用例２）
実施例１の構造の分級ロータにおいて、スリット板の放射状スリットのスリット数を１２０とし、そのスリット部に超硬合金製ブレード１２０枚を挟み込んで分級ロータを構成した。
本構造の分級ロータを２５００回転／分で回転させ、１μｍ〜２０μｍのアルミナ粉体を含む気体を５５ｍ３／分で流したところ、分級ポイントは６μｍであり、粉体の処理量は１１００ｋｇ／時間であった。
【産業上の利用可能性】
【００１１】
本考案の分級ロータはアルミナ等の粗粉と細粉を分離する遠心式気流分級機に利用され、分級ロータのブレード及びスリットの交換が容易である。
【図面の簡単な説明】
【００１２】
【図１】本考案の分級ロータの構造を示す、組立前の斜視図である。
【図２】本考案の分級ロータを示す斜視図である。
【図３】遠心式気流分級機の概略断面図である。
【符号の説明】
【００１３】
１  ブレード
２  上部スリット板
３  下部スリット板
４  上板
５  下板
６  支柱１
７  回転軸受け
７１  回転軸受け取付け穴
【図１】
0003103835.tif 000003
【図２】
0003103835.tif 000004
【図３】
0003103835.tif 000005